(57)【要約】【課題】フットカバーにおいて履き口の締め付けを改善し、踵の裏側の負担を低減することを課題とする。【解決手段】履き口１２が踵から甲にかけて形成される靴下であるフットカバーＸにおいて、履き口１２の後側の、踵にかかる部分を含む少なくとも一部に固定される後部紐３０と、履き口１２の前記後部紐３０が設けられる位置よりも前側に位置する側縁の少なくとも一部に固定される前部紐２０とを設けるとともに、前記前部紐２０を弾性紐により形成し、前記後部紐３０は前記前部紐２０よりも伸びにくい弾性紐又は伸縮性のない紐により形成する。【選択図】  図１
0003162440.tif 000002
【実用新案登録請求の範囲】
【請求項１】
履き口が踵から甲にかけて形成される靴下であるフットカバーにおいて、
履き口の後側の、踵にかかる部分を含む少なくとも一部に固定される後部紐と、履き口の前記後部紐が設けられる位置よりも前側に位置する側縁の少なくとも一部に固定される前部紐とを有し、
前記前部紐は弾性紐により形成されるとともに、前記後部紐は前記前部紐よりも伸びにくい弾性紐又は伸縮性のない紐により形成される
フットカバー。 
【請求項２】
前記前部紐はフットカバーの底面の一方側の縁部から前記履き口の一方側の側縁、前縁、他方側の側縁を通って前記底面の他方側の縁部に至るものであり、
前記後部紐はフットカバーの底面の一方側の縁部から前記履き口の踵にかかる部分を通って前記底面の他方側の縁部に至るものである
請求項１に記載のフットカバー。
【請求項３】
前記前部紐は履き口の前記両側縁のみにそれぞれ固定され、
前記後部紐は前記各前部紐の後端と前記履き口の踵にかかる部分を通るように固定される
請求項１に記載のフットカバー。
【考案の詳細な説明】
【技術分野】
【０００１】
本考案は、履き口の締め付けを改善したフットカバーに関する。
【背景技術】
【０００２】
足先から踵までを覆い、足首部分を有しない靴下であるフットカバーは、近年広く流通している。
このようなフットカバーの履き口は脱げないようにゴム紐が通されていたり、伸縮性のある糸で履き口縁部を編んだりすることで弾性的に伸縮するように形成されているのが一般的である。
【考案の概要】
【考案が解決しようとする課題】
【０００３】
このようなフットカバーの履き口は履き口全周に渡って均等な弾性力を有するが、踵の裏側は履き口を形成する面に対してほぼ垂直に接触するのに対して、甲部分は履き口を形成する面に平行に近い状態で接触する。このために脱げない程度の弾力性を履き口に持たせると踵の裏側に強い負荷がかかり踵の裏側が痛くなる。一方、踵の裏側が痛くならないように弾力性を弱くすると、今度はフットカバーが足から脱げ易くなるという問題が生じる。
本考案は、このような問題に鑑みて、フットカバーにおいて履き口の締め付けを改善し、踵の裏側の負担を低減することを課題とする。
【課題を解決するための手段】
【０００４】
上記課題を解決するために、本考案は次のような構成を有する。
請求項１に記載の考案は、履き口が踵から甲にかけて形成される靴下であるフットカバーにおいて、履き口の後側の、踵にかかる部分を含む少なくとも一部に固定される後部紐と、履き口の前記後部紐が設けられる位置よりも前側に位置する側縁の少なくとも一部に固定される前部紐とを有する。そして、前記前部紐は弾性紐により形成されるとともに、前記後部紐は前記前部紐よりも伸びにくい弾性紐又は伸縮性のない紐により形成される。
請求項２に記載の考案は、前記フットカバーにおいて、前記前部紐はフットカバーの底面の一方側の縁部から前記履き口の一方側の側縁、前縁、他方側の側縁を通って前記底面の他方側の縁部に至るものであり、前記後部紐はフットカバーの底面の一方側の縁部から前記履き口の踵にかかる部分を通って前記底面の他方側の縁部に至るものである。
請求項３に記載の考案は、請求項１に記載のフットカバーにおいて、前記前部紐は履き口の前記両側縁のみにそれぞれ固定され、前記後部紐は前記各前部紐の後端と前記履き口の踵にかかる部分を通るように固定されるものである。
【考案の効果】
【０００５】
請求項１に記載の考案は、履き口の踵にかかる後ろ側よりも前側により伸びやすいゴム紐が存在することで、フットカバーを履いた際に、前側のゴム紐が履き口全体の伸縮に多く寄与することになり、踵側ではあまり伸びないので踵側の締め付けが緩和され、踵側の負担を低減することができる。
請求項２に記載の考案は、前部紐および後部紐は側面からみて斜めに傾いたアーチ状に形成されるので、斜めに傾いた足の甲および踵に対して斜めに力が加わることとなり、履き心地をよくすることができる。
請求項３に記載の考案は、履き口の両側縁のみに弾性紐が設けられ、履き口の伸縮は主に履き口の両側縁部分が担うことになるので、踵の裏側のみならず甲部への負担も低減することができる。
【図面の簡単な説明】
【０００６】
【図１】実施形態１に係るフットカバー示す斜視図である。
【図２】実施形態２に係るフットカバーを示す斜視図である。
【考案を実施するための形態】
【０００７】
以下、本考案の実施の形態について、図面を参照しながら説明する。
（実施形態１）
図１に本実施形態に係るフットカバーＸの斜視図を示す。フットカバーＸは主にパンプスを履く際に、足に装着するものであり、パンプスを履いたときに履き口が見えないように、履き口１２が甲の足先近傍から踵を覆うように広めに形成されている。
フットカバーＸの本体１０はナイロンや、ポリウレタン弾性糸を芯糸とするカバード糸等の一般に用いられているストッキング用の原糸を使用して足部を覆うような袋状に編成されたものである。また、履き口１２には図示していないが伸縮性のあるナイロン糸により縁かがりが施されている。
そして、本体部１０の内側には前部紐２０と後部紐３０とが縫い付けられている。前部紐２０は弾性紐である平たいゴムテープにより形成され、本体部１０の底面１１の一方側の側縁部から、履き口１２の一方側の側縁、前縁、他方側の側縁を通り、底面１１の他方側の側縁部に至るように固定される。後部紐３０も弾性紐である前部紐２０よりも伸びにくい平たいゴムテープにより形成され、本体部１０の底面１１の一方側の側縁部から履き口１２の一方側の側縁、踵にかかる部分、他方の側縁を通り、底面１１の他方側の側縁部に至るように固定される。前部紐２０の本体部１０の底面１１の両側に固定される位置は、後部紐３０の本体部１０の底面１１の両側に固定される位置よりも後方に設定され、これより前部紐２０と後部紐３０とは図に示すように本体部１０の両側面で交わることとなる。
【０００８】
以上のような構成を有するフットカバーＸは足に装着した際に、主に前部紐２０の伸縮力により脱げないように履き口１２を締め、踵側は比較的伸びないゴム紐である後部紐３０により押圧されるので踵に大きな負担がかからず、長時間履いても踵が痛くなるようなことがない。また、前部紐２０と後部紐３０とに分けることでそれぞれの部分にかかる圧力を分割し、さらに踵にかかる負荷をより低減できる。そして、前部紐２０及び後部紐３０は底面から傾いたアーチ状に設けられるので、足の甲および踵に対して力の係る方向が斜め下方を向くことになり、斜め下方を向いている足の甲や踵裏面に対して力が加わる方向が垂直に近くなるのでフィット感を高めることができる。
【０００９】
（実施形態２）
図２に実施形態２に係るフットカバーＹの斜視図を示す。フットカバーＹは主に室内履きとして使用するものであって、甲の足先近傍から踵を覆う形状をしたバレーシューズ風のデザインが施されている。
フットカバーＹの本体５０は綿のジャージー生地を縫製して足部を覆うように袋状に形成したものである。フットカバーＹは底面を構成する底部５３、つま先部分を覆うつま先部５１、両側面から後方を覆う側背部５２よりなる。つま先部５１の履き口５４に接する縁部及び側背部５２の履き口５４に接する縁部は折り返され、それぞれ縁取り部５１ａ、５２ａを構成する。
そして、側背部５２の縁取り部５２ａ内には前部紐６０及び後部紐７０が固定される。前部紐６０は、弾性紐として平らな長さのゴムテープにより構成されるものであって、両側面前方側にそれぞれ設けられる。具体的には、前部紐６０、６０は約３ｃｍのゴム紐であり、縁取り部５２ａのつま先部５１に接するように固定される。後部紐７０は前部紐６０と同じ幅を持った伸縮性の無いテープ状の紐により形成され、両端部が両前部紐６０、６０の後端側に縫い付けられ、踵の裏側を通るように縁取り部５２ａ内に固定されている。
【００１０】
以上のような構成を有するフットカバーＹは足に装着した際に、履き口部分では側面前方に設けられる前部紐６０の伸縮力によってのみ締め付け力が付与されるので踵の裏側や足の甲部分に強い締め付け力がかからず長時間快適に履くことができる。また、バレーシューズ風のデザインとすることでスカートなどにもマッチしファッション性にも優れる。
なお、上記各実施形態で示される本体部は例示でありフットカバーと呼べる形状であれば、種々の材質、形成方法を採用することができる。
【符号の説明】
【００１１】
Ｘ、Ｙ  フットカバー
１０、５０  本体
１２、５４  履き口
２０、６０  前部紐
３０、７０  後部紐
【図１】
0003162440.tif 000003
【図２】
0003162440.tif 000004